(57)【特許請求の範囲】
【請求項１】
画像信号に応じた画像を表示面に表示する表示装置に入力される前記画像信号に対する処理を行う画像処理装置であって、
前記画像信号が黒色の画像を表示するものである場合に前記表示装置の使用環境下で前記表示面に表示される画像の色が、前記表示装置による前記表示面への画像表示が行われず、且つ、前記表示面に外光が照射されていない状態である完全無光状態における前記表示面の色との色差を最も小さくする補正黒色或いは該補正黒色と同視できる色となるように、前記画像信号を補正する色補正部を備えることを特徴とする画像処理装置。
【請求項２】
前記補正黒色と同視できる色は、均等色空間において前記補正黒色との色差の大きさが１以下の色であることを特徴とする請求項１記載の画像処理装置。
【請求項３】
前記画像信号が黒色の画像を表示するものである場合に前記表示装置の使用環境下で前記表示面に表示される画像の色を、完全無光状態における前記表示面の色との色差を最も小さくする補正黒色或いは該補正黒色と同視できる色に補正する色補正テーブルを保存する色補正テーブル保存部を備えており、
前記色補正部は、前記色補正テーブル保存部に保存された前記色補正テーブルを用いて前記画像信号を補正する
ことを特徴とする請求項１又は請求項２記載の画像処理装置。
【請求項４】
前記表示装置によって前記表示面に表示される画像の色特性を保存する第１色特性保存部と、
前記表示面に照射される外光の色特性を保存する第２色特性保存部と、
前記第１，第２色特性保存部に保存された色特性を用いて、前記表示装置の使用環境下で前記表示面に表示可能な表示色域を算出する表示色域算出部と、
前記表示色域算出部の算出結果を用いて、前記色補正テーブルを生成する色補正テーブル生成部と
を備えることを特徴とする請求項３記載の画像処理装置。
【請求項５】
前記表示色域算出部で算出された前記表示色域を基に、前記画像信号が白色の画像を表示するものである場合に前記表示装置の使用環境下で前記表示面に表示させるべき補正白色と、前記画像信号が黒色の画像を表示するものである場合に前記表示装置の使用環境下で前記表示面に表示させるべき前記補正黒色或いは前記補正黒色と同視できる色とを求める補正色算出部を備えており、
前記色補正テーブル生成部は、前記表示装置の使用環境下で前記表示面に表示される白色及び黒色をそれぞれ前記補正白色及び前記補正黒色にする前記色補正テーブルを生成する
ことを特徴とする請求項４記載の画像処理装置。
【請求項６】
画像信号に応じた画像を表示面に表示する表示装置を備える画像表示装置において、
前記表示装置に入力される画像信号に対する処理を行う請求項１から請求項５の何れか一項に記載の画像処理装置を備えることを特徴とする画像表示装置。
【請求項７】
前記表示装置によって前記表示面に表示される画像の色特性、及び前記表示面に照射される外光の色特性を検出する色センサーを備えることを特徴とする請求項６記載の画像表示装置。
【請求項８】
画像信号に応じた画像を表示面に表示する表示装置に入力される前記画像信号に対する処理を行う画像処理方法であって、
前記画像信号が黒色の画像を表示するものである場合に前記表示装置の使用環境下で前記表示面に表示される画像の色が、前記表示装置による前記表示面への画像表示が行われず、且つ、前記表示面に外光が照射されていない状態である完全無光状態における前記表示面の色との色差を最も小さくする補正黒色或いは該補正黒色と同視できる色となるように、前記画像信号を補正する色補正ステップを有することを特徴とする画像処理方法。
【請求項９】
前記色補正ステップは、前記画像信号が黒色の画像を表示するものである場合に前記表示装置の使用環境下で前記表示面に表示される画像の色を、完全無光状態における前記表示面の色との色差を最も小さくする補正黒色或いは該補正黒色と同視できる色に補正する色補正テーブルを用いて前記画像信号を補正することを特徴とする請求項８記載の画像処理方法。
【請求項１０】
前記表示装置によって前記表示面に表示される画像の色特性を保存する第１色特性保存ステップと、
前記表示面に照射される外光の色特性を保存する第２色特性保存ステップと、
前記第１，第２色特性保存ステップで保存された色特性を用いて、前記表示装置の使用環境下で前記表示面に表示可能な表示色域を算出する表示色域算出ステップと、
前記表示色域算出ステップの算出結果を用いて、前記色補正テーブルを生成する色補正テーブル生成ステップと
を有することを特徴とする請求項９記載の画像処理方法。
【請求項１１】
前記表示色域算出ステップで算出された前記表示色域を基に、前記画像信号が白色の画像を表示するものである場合に前記表示装置の使用環境下で前記表示面に表示させるべき補正白色と、前記画像信号が黒色の画像を表示するものである場合に前記表示装置の使用環境下で前記表示面に表示させるべき前記補正黒色或いは前記補正黒色と同視できる色とを求める補正色算出ステップを有しており、
前記色補正テーブル生成ステップは、前記表示装置の使用環境下で前記表示面に表示される白色及び黒色をそれぞれ前記補正白色及び前記補正黒色にする前記色補正テーブルを生成するステップである
ことを特徴とする請求項１０記載の画像処理方法。
【発明の詳細な説明】
【技術分野】
【０００１】
本発明は、画像処理装置、画像表示装置、及び画像処理方法に関する。
【背景技術】
【０００２】
液晶表示装置、プラズマ表示装置、プロジェクター等の画像表示装置は、周辺の照明環境に応じて、明部や暗部の階調つぶれ、コントラスト低下等が引き起こされて表示画像の視認性が低下することがある。特に、プロジェクターは、液晶表示装置及びプラズマ表示装置等とは異なり、スクリーンに画像光を投影することにより画像を表示するものであるため、周辺の照明環境に応じて表示画像の視認性の低下が顕著になる。
【０００３】
以下の特許文献１には、プロジェクター周辺の照度と画像信号のＡＰＬ（平均輝度レベル）とを検出し、これらの検出結果に応じて白伸長及び黒伸長の少なくとも一方を行ってコントラストを高くすることで表示画像の視認性の向上を図る技術が開示されている。例えば、周辺が明るいと検出され、且つ検出されたＡＰＬが所定の設定値以下の場合には、白伸長及び黒伸長の双方を行うことで表示画像の視認性を向上させている。
【０００４】
以下の特許文献２には、プロジェクターで用いられるスクリーンであって、部屋が明るい状態でもコントラストの高い画像の表示を可能とする波長選択スクリーンが開示されている。ここで、波長選択スクリーンとは、プロジェクターから射出される発光波長の光のみを観察者に向けて反射し、その他の波長の光を吸収するスクリーンである。この波長選択スクリーンを用いると、外光成分が吸収されることから、部屋が明るい状態でもコントラストの高い画像の表示が可能になる。
【先行技術文献】
【特許文献】
【０００５】
【特許文献１】特開２００９−２７６４２４号公報
【特許文献２】特開２００６−３５０１８５号公報
【発明の概要】
【発明が解決しようとする課題】
【０００６】
ところで、上述した特許文献１に開示された技術では、照明環境に応じて引き起こされる表示画像の階調つぶれは補正できるものの、照明環境に応じた表示画像の色の変化を補正することはできないという問題がある。例えば、蛍光灯で照明された状態にある表示画像の色と、白熱灯で照明された状態にある表示画像の色とは若干異なるが、この照明環境に応じた色の違いを補正することはできないという問題がある。
【０００７】
また、上述した特許文献２に開示された波長選択スクリーンを用いた場合には、波長選択スクリーンに入射する光のうちの特定の波長の光が吸収されずに反射される。このため、仮に白色光の照明光が波長選択スクリーンに入射したとしても、波長選択スクリーンの反射・吸収特性に応じて反射光が色味を有してしまう。すると、波長選択スクリーンに表示される表示画像の暗部がその反射光の色味に応じて呈色してしまうという問題がある。
【０００８】
ここで、表示画像の暗部の呈色（黒の色味）をプロジェクター側で補正しようとすると、黒の色味とコントラストとはトレードオフの関係になる。このため、黒の色味を優先して解消しようとすると表示画像の暗部の輝度が上昇してコントラストが低下してしまい、逆に表示画像のコントラストを優先すると黒の色味を十分解消することができないという問題がある。尚、従来は、このような表示画像の暗部の色味を補正しようとした場合にはユーザが照明環境に応じて手動で行う必要があった。
【０００９】
本発明は上記事情に鑑みてなされたものであり、照明環境に応じて生ずる表示画像の暗部の呈色をコントラストも加味して自動的且つ適切に補正することができる画像処理装置、画像表示装置、及び画像処理方法を提供することを目的とする。
【課題を解決するための手段】
【００１０】
本発明の画像処理装置は、画像信号に応じた画像を表示面に表示する表示装置に入力される前記画像信号に対する処理を行う画像処理装置であって、前記画像信号が黒色の画像を表示するものである場合に前記表示装置の使用環境下で前記表示面に表示される画像の色が、完全無光状態における前記表示面の色との色差を最も小さくする補正黒色或いは該補正黒色と同視できる色となるように、前記画像信号を補正する色補正部を備えることを特徴としている。
この発明によると、画像信号が黒色の画像を表示するものである場合に表示装置の使用環境下で表示面に表示される画像の色が、完全無光状態における表示面の色との色差を最も小さくする補正黒色或いは該補正黒色と同視できる色となるように、表示装置に入力される画像信号が色補正部によって補正される。このため、照明環境に応じて生ずる表示画像の暗部の呈色をコントラストも加味して自動的且つ適切に補正することができる。
ここで、前記完全無光状態は、前記表示装置による前記表示面への画像表示が行われず、且つ、前記表示面に外光が照射されていない状態である。
また、前記補正黒色と同視できる色は、均等色空間において前記補正黒色との色差の大きさが１以下の色である。
また、本発明の画像処理装置は、前記画像信号が黒色の画像を表示するものである場合に前記表示装置の使用環境下で前記表示面に表示される画像の色を、完全無光状態における前記表示面の色との色差を最も小さくする補正黒色或いは該補正黒色と同視できる色に補正する色補正テーブルを保存する色補正テーブル保存部を備えており、前記色補正部は、前記色補正テーブル保存部に保存された前記色補正テーブルを用いて前記画像信号を補正することを特徴としている。
この発明によると、表示装置の使用環境下において、上記の補正を実現し得る色補正テーブルが生成され、この色補正テーブルを用いて画像信号が補正される。このため、あらゆる照明環境下において、表示画像の暗部の呈色をコントラストも加味して自動的且つ適切に補正することができる。
また、本発明の画像処理装置は、前記表示装置によって前記表示面に表示される画像の色特性を保存する第１色特性保存部と、前記表示面に照射される外光の色特性を保存する第２色特性保存部と、前記第１，第２色特性保存部に保存された色特性を用いて、前記表示装置の使用環境下で前記表示面に表示可能な表示色域を算出する表示色域算出部と、前記表示色域算出部の算出結果を用いて、前記色補正テーブルを生成する色補正テーブル生成部とを備えることを特徴としている。
この発明によると、表示装置によって表示面に表示される画像の色特性と表示面に照射される外光の色特性とを用いて表示装置の使用環境下で表示面に表示可能な表示色域が算出され、算出された表示色域を用いて色補正テーブルが生成される。このため、照明環境のみならず、表示装置の特性も考慮した補正を行うことができ、様々な表示特性を有する表示装置に適用可能である。
また、本発明の画像処理装置は、前記表示色域算出部で算出された前記表示色域を基に、前記画像信号が白色の画像を表示するものである場合に前記表示装置の使用環境下で前記表示面に表示させるべき補正白色と、前記画像信号が黒色の画像を表示するものである場合に前記表示装置の使用環境下で前記表示面に表示させるべき前記補正黒色或いは前記補正黒色と同視できる色とを求める補正色算出部を備えており、前記色補正テーブル生成部は、前記表示装置の使用環境下で前記表示面に表示される白色及び黒色をそれぞれ前記補正白色及び前記補正黒色にする前記色補正テーブルを生成することを特徴としている。
この発明によると、画像信号が白色の画像を表示するものである場合に表示装置の使用環境下で表示面に表示させるべき補正白色と、画像信号が黒色の画像を表示するものである場合に表示装置の使用環境下で表示面に表示させるべき補正黒色（或いは、補正黒色と同視できる色）とが求められ、表示装置の使用環境下で表示面に表示される白色及び黒色をそれぞれ補正白色及び補正黒色（或いは、補正黒色と同視できる色）にする色補正テーブルが生成される。このため、黒色に加えて、彩度を有しない白色及び灰色の呈色も適切に解消される。
本発明の画像表示装置は、画像信号に応じた画像を表示面に表示する表示装置を備える画像表示装置において、前記表示装置に入力される画像信号に対する処理を行う上記の画像処理装置を備えることを特徴としている。
また、本発明の画像表示装置は、前記表示装置によって前記表示面に表示される画像の色特性、及び前記表示面に照射される外光の色特性を検出する色センサーを備えることを特徴としている。
この発明によると、表示装置によって表示面に表示される画像の色特性、及び表示面に照射される外光の色特性が色センサーによって検出されるため、仮に表示装置の使用環境が変化したとしても、その使用環境の変化に応じた適切な画像信号の補正を即座に行うことができる。
本発明の画像処理方法は、画像信号に応じた画像を表示面に表示する表示装置に入力される前記画像信号に対する処理を行う画像処理方法であって、前記画像信号が黒色の画像を表示するものである場合に前記表示装置の使用環境下で前記表示面に表示される画像の色が、完全無光状態における前記表示面の色との色差を最も小さくする補正黒色或いは該補正黒色と同視できる色となるように、前記画像信号を補正する色補正ステップを有することを特徴としている。
この発明によると、画像信号が黒色の画像を表示するものである場合に表示装置の使用環境下で表示面に表示される画像の色が、完全無光状態における表示面の色との色差を最も小さくする補正黒色或いは該補正黒色と同視できる色となるように、表示装置に入力される画像信号が補正される。このため、照明環境に応じて生ずる表示画像の暗部の呈色をコントラストも加味して自動的且つ適切に補正することができる。
また、本発明の画像処理方法は、前記色補正ステップが、前記画像信号が黒色の画像を表示するものである場合に前記表示装置の使用環境下で前記表示面に表示される画像の色を、完全無光状態における前記表示面の色との色差を最も小さくする補正黒色或いは該補正黒色と同視できる色に補正する色補正テーブルを用いて前記画像信号を補正することを特徴としている。
この発明によると、表示装置の使用環境下において、上記の補正を実現し得る色補正テーブルが生成され、この色補正テーブルを用いて画像信号が補正される。このため、あらゆる照明環境下において、表示画像の暗部の呈色をコントラストも加味して自動的且つ適切に補正することができる。
また、本発明の画像処理方法は、前記表示装置によって前記表示面に表示される画像の色特性を保存する第１色特性保存ステップと、前記表示面に照射される外光の色特性を保存する第２色特性保存ステップと、前記第１，第２色特性保存ステップで保存された色特性を用いて、前記表示装置の使用環境下で前記表示面に表示可能な表示色域を算出する表示色域算出ステップと、前記表示色域算出ステップの算出結果を用いて、前記色補正テーブルを生成する色補正テーブル生成ステップとを有することを特徴としている。
この発明によると、表示装置によって表示面に表示される画像の色特性と表示面に照射される外光の色特性とを用いて表示装置の使用環境下で表示面に表示可能な表示色域が算出され、算出された表示色域を用いて色補正テーブルが生成される。このため、照明環境のみならず、表示装置の特性も考慮した補正を行うことができ、様々な表示特性を有する表示装置に適用可能である。
また、本発明の画像処理方法は、前記表示色域算出ステップで算出された前記表示色域を基に、前記画像信号が白色の画像を表示するものである場合に前記表示装置の使用環境下で前記表示面に表示させるべき補正白色と、前記画像信号が黒色の画像を表示するものである場合に前記表示装置の使用環境下で前記表示面に表示させるべき前記補正黒色或いは前記補正黒色と同視できる色とを求める補正色算出ステップを有しており、前記色補正テーブル生成ステップは、前記表示装置の使用環境下で前記表示面に表示される白色及び黒色をそれぞれ前記補正白色及び前記補正黒色にする前記色補正テーブルを生成するステップであることを特徴としている。
この発明によると、画像信号が白色の画像を表示するものである場合に表示装置の使用環境下で表示面に表示させるべき補正白色と、画像信号が黒色の画像を表示するものである場合に表示装置の使用環境下で表示面に表示させるべき補正黒色（或いは、補正黒色と同視できる色）とが求められ、表示装置の使用環境下で表示面に表示される白色及び黒色をそれぞれ補正白色及び補正黒色（或いは、補正黒色と同視できる色）にする色補正テーブルが生成される。このため、黒色に加えて、彩度を有しない白色及び灰色の呈色も適切に解消される。
【図面の簡単な説明】
【００１１】
【図１】本発明の一実施形態による画像処理装置及び画像表示装置の要部構成を示すブロック図である。
【図２】本発明の一実施形態による画像処理装置で行われる処理を説明するための図である。
【図３】本発明の一実施形態による画像処理装置で行われる処理を説明するための図である。
【図４】本発明の一実施形態による画像処理装置で補正された画像の官能評価試験結果を示す図である。
【図５】本発明の一実施形態による画像処理方法を示すフローチャートである。
【図６】本発明の一実施形態による画像表示装置が備える表示装置の要部構成を示す図である。
【発明を実施するための形態】
【００１２】
以下、図面を参照して本発明の一実施形態による画像処理装置、画像表示装置、及び画像処理方法について詳細に説明する。尚、以下に説明する実施形態は、本発明の一部の態様を示すものであり、本発明を限定するものではなく、本発明の技術的思想の範囲内で任意に変更可能である。
【００１３】
図１は、本発明の一実施形態による画像処理装置及び画像表示装置の要部構成を示すブロック図である。以下では、画像表示装置としてプロジェクターを例に挙げて説明を進める。図１に示す通り、プロジェクター１は、画像処理装置１０、表示装置２０、及び色センサー３０を備えており、画像信号に応じた画像光をスクリーン４０（表示面）に向けて投影することによりスクリーン４０上に画像を表示する。尚、図１に示す通り、スクリーン４０には、プロジェクター１から投影される画像光以外に、プロジェクター１の使用環境下における外光（例えば、蛍光灯からの照明光）が照射されるとする。
【００１４】
画像処理装置１０は、スクリーン４０に表示される画像のコントラストを悪化させることなく、照明環境（外光）に応じて生ずる画像の暗部の呈色が解消されるように、入力される画像信号を補正する処理を行う。表示装置２０は、画像処理装置１０で補正された画像信号に基づいて変調した光（画像光）をスクリーン４０に向けて投影することにより、画像信号（補正された画像信号）に応じた画像をスクリーン４０上に表示する。尚、画像処理装置１０及び表示装置２０の詳細については後述する。
【００１５】
色センサー３０は、スクリーン４０からの反射光の色を検出するセンサーであり、表示装置２０がスクリーン４０に表示する画像の色特性、及びスクリーン４０に照射される外光の色特性を検出するために設けられる。色センサー３０は、仮にプロジェクター１の使用環境が変化したとしても、その使用環境の変化に応じた適切な画像信号の補正を即座に行うために設けられる。
【００１６】
この色センサー３０としては、例えば赤色、緑色、及び青色にそれぞれ感度をもつ３種類のフォトダイオードがパッケージに収められているＲＧＢカラーセンサーを用いることができる。尚、表示装置２０からの画像光が投影されるスクリーン４０としては、表示装置２０から射出される発光波長の光（赤色、緑色、及び青色の光）のみを反射し、その他の波長の光を吸収する波長選択スクリーンを用いることができる。
【００１７】
次に、画像処理装置１０について詳細に説明する。まず、画像処理装置１０が備える各部の詳細を説明する前に、画像処理装置１０で行われる処理を定性的に説明する。図２，図３は、本発明の一実施形態による画像処理装置で行われる処理を説明するための図である。これら図２，図３では、横軸に彩度をとり、縦軸に明度をとった二次元色空間を図示している。一般的に用いられる色空間はＬ＊ａ＊ｂ＊色空間、或いはＬ＊ｕ＊ｖ＊色空間等の均等色空間である。ここで、均等色空間とは、色空間上での距離・間隔が、知覚的な色の距離・間隔に類似するよう設計された空間をいう。また、Ｌ＊ａ＊ｂ＊色空間やＬ＊ｕ＊ｖ＊色空間等は三次元色空間である。図２，３に示す色空間は、説明を分かりやすくするために、これらの三次元色空間を二次元に投影したり、Ｌ＊軸を含む平面で切ったりし、彩度と明度とが軸になるようにしたものである。
【００１８】
図２において、直線Ｌ１〜Ｌ４で囲まれた領域（斜線が付された四角形状の領域）は、プロジェクター１の使用環境下において、表示装置２０がスクリーン４０に表示可能な表示色域Ｒ１を示している。つまり、プロジェクター１は、その使用環境下において、表示色域Ｒ１内の色であればスクリーン４０上に表示可能であるが、表示色域Ｒ１外の色の表示は不可能である。
【００１９】
また、図２において、符号Ｗ１が付された点は表示装置２０がスクリーン４０に表示可能な最大明度の白色（以下、白色Ｗ１という）を示す点であり、符号Ｂ１が付された点は表示装置２０がスクリーン４０に表示可能な最小明度の黒色（以下、黒色Ｂ１という）を示す点である。尚、画像信号が２４ビットのＲＧＢ信号（８ビットのＲ信号、８ビットのＧ信号、及び８ビットのＢ信号からなる信号）であるとすると、白色Ｗ１は表示装置２０に入力されるＲＧＢ信号が（２５５，２５５，２５５）である場合に表示される色であり、黒色Ｂ１は表示装置２０に入力されるＲＧＢ信号が（０，０，０）である場合に表示される色である。
【００２０】
前述した通り、図２に示す色空間は横軸に彩度をとり縦軸に明度をとっているため、色味を有しない色（黒色、白色、及び黒色と白色との間の色である灰色）は、本来であれば縦軸（明度の軸）上に位置する。しかしながら、プロジェクター１の使用環境下における外光の影響、或いはスクリーン４０の特性によって白色Ｗ１及び黒色Ｂ１が共に色味を有する（呈色する）ため、図２に示す通り、白色Ｗ１及び黒色Ｂ１は縦軸上から外れた位置に現れることになる。また、黒色と白色との間の色である灰色の色味も色味を有するため、灰色は図２中の白色Ｗ１と黒色Ｂ１とを結ぶ直線Ｌ１１上に現れることになる。
【００２１】
画像処理装置１０は、以上の呈色を解消すべく、白色Ｗ１を補正白色Ｗ２に補正するとともに、黒色Ｂ１を補正黒色Ｂ２或いは補正黒色Ｂ２と同視できる色に補正する処理を行う。尚、白色Ｗ１及び黒色Ｂ１が補正白色Ｗ２及び補正黒色Ｂ２にそれぞれ補正されることにより、図２中の直線Ｌ１１は直線Ｌ１２に補正される。このような補正がなされることによって、黒色に加えて、彩度を有しない白色及び灰色の呈色も適切に解消される。
【００２２】
ここで、補正白色Ｗ２は、縦軸上に位置する彩度を有しない白色であって表示装置２０がスクリーン４０に表示し得る最も明度が高い白色である。また、補正黒色Ｂ２は、完全無光状態におけるスクリーン４０の色との色差が最も小さくなる黒色である。上記の完全無光状態とは、表示装置２０によるスクリーン４０への画像表示が行われず、且つ、スクリーン４０に外光が照射されていない状態をいう。このため、完全無光状態におけるスクリーン４０の色は、図２に示した色空間における原点の色（以下、完全黒色Ｂ０という）になる。上述の通り、補正黒色Ｂ２は、完全黒色Ｂ０との色差が最も小さくなる黒色であるから、原点から直線Ｌ２に対して降ろした垂線の足の位置における黒色である。
【００２３】
ここで、表示装置２０がスクリーン４０に表示可能な表示色域Ｒ１に応じて、図３に示す通り、原点から直線Ｌ２に対して降ろした垂線が直線Ｌ２の延長線に交わる場合（図３（ａ）に示す通り色味が少ない場合）と、直線Ｌ２に直接交わる場合（図３（ｂ）に示す通り色味が多い場合）とが考えられる。前述の通り、表示色域Ｒ１外の色をスクリーン４０上に表示することはできないため、画像処理装置１０は、図３（ａ）に示す場合には補正を行わず、図３（ｂ）に示す場合にのみ補正を行う。
【００２４】
以上の通り、黒色Ｂ１を完全黒色Ｂ０との色差が最も小さくなる補正黒色Ｂ２に補正するのは、コントラストが大幅に悪化するのを回避するためである。つまり、黒色Ｂ１の呈色を解消するだけであれば、白色Ｗ１と同様に、黒色Ｂ１を縦軸上に位置する彩度を有しない黒色（図２中で符号Ｂ３が付された点における黒色）に補正すれば良い。しかしながら、このような補正を行うと黒色の明度が高くなってコントラストが大幅に低下してしまう。本実施形態では、コントラストも加味しつつ呈色を適切に解消すべく、黒色Ｂ１を完全黒色Ｂ０との色差が最も小さくなる補正黒色Ｂ２に補正することとしている。
【００２５】
ここで、コントラストも加味して呈色を解消する場合には、以上の通り黒色Ｂ１を補正黒色Ｂ２に補正するのが望ましいが、視覚的にコントラストの低下及び色味の変化を認識することができない色（補正黒色Ｂ２と同視し得る色）に黒色Ｂ１を補正するようにしても良い。補正黒色Ｂ２と同視できる色とは、表示装置２０がスクリーン４０に表示し得る色であって、均等色空間において補正黒色Ｂ２との色差（具体的には、Ｌ＊ａ＊ｂ＊色空間やＬ＊ｕ＊ｖ＊色空間における色差ΔＥ）の大きさが１以下の色である。
【００２６】
均等色空間は、前述の通り、色空間上での距離・間隔が、知覚的な色の距離・間隔に類似するよう設計された空間であり、一般的にこの空間内において色差の大きさが１以下であれば色の違いを認識することができないとされている。このため、黒色Ｂ１を、補正黒色Ｂ２との色差が１以下の色である補正黒色Ｂ２と同視し得る色に補正しても良い。尚、補正黒色Ｂ２と同視できる色は、例えば図３（ｂ）中の領域Ｒ２内の色である。
【００２７】
図４は、本発明の一実施形態による画像処理装置で補正された画像の官能評価試験結果を示す図である。尚、図４（ａ）は表示装置２０が図３（ａ）に示す表示色域Ｒ１を有する場合の官能評価試験結果を示す図であり、図４（ｂ）は表示装置２０が図３（ｂ）に示す表示色域Ｒ１を有する場合の官能評価試験結果を示す図である。これら図４（ａ），（ｂ）に示す官能評価試験結果は、横軸に黒色Ｂ１の補正量を示す変数δをとり、縦軸に官能評価値をとっている。
【００２８】
変数δは「０．０」〜「１．０」の間の値をとる変数である。図３（ａ），（ｂ）に示す黒色Ｂ１は、変数δの値に応じて黒色Ｂ１と符号Ｂ３が付された点における黒色とを結ぶ直線上の黒色に補正される。変数δの値が「０．０」である場合には黒色Ｂ１は補正されず、変数δの値が「１．０」である場合には黒色Ｂ１は符号Ｂ３が付された点における黒色される。尚、官能評価値は、スクリーン４上に表示される画像の黒の呈色やコントラスト感を定量的に総合評価した値であり、値が大きいほど元の画像に近い画像であることを意味している。
【００２９】
図４（ａ）に示す官能評価試験結果を参照すると、変数δの値が「０．０」の場合に官能評価値が最も大きく、変数δの値が大きくなるに従って官能評価値が小さくなっているのが分かる。これに対し、図４（ｂ）に示す官能評価試験結果を参照すると、変数δの値が黒色Ｂ１を補正黒色Ｂ２に補正するδ１の場合に官能評価値が最も大きくなっており、変数δの値がδ１よりも小さくなるに従って、及び変数δの値がδ１よりも大きくなるに従って、官能評価値が小さくなるのが分かる。これは、変数δの値がδ１よりも小さくなると黒の呈色が気になり、変数δの値がδ１よりも大きくなるとコントラストの低下が気になって、官能評価値が下がっていると考えられる。以上から、画像処理装置１０は、図３（ａ）に示す場合には補正を行わず、図３（ｂ）に示す場合にのみ黒色Ｂ１を補正黒色Ｂ２（補正黒色Ｂ２と同視し得る色）に補正するようにしている。
【００３０】
次いで、以上説明した処理を行う画像処理装置１０の各部について詳細に説明する。図１に示す通り、画像処理装置１０は、表示装置色特性保存部１１（第１色特性保存部）、外光色特性保存部１２（第２色特性保存部）、表示色域算出部１３、補正色算出部１４、色補正テーブル生成部１５、色補正テーブル保存部１６、及び色補正部１７を備える。この画像処理装置１０は、色センサー３０の検出結果を用いて以上説明した色の補正を実現し得る色補正テーブルを生成し、この色補正テーブルを用いて入力される画像信号を補正する。
【００３１】
表示装置色特性保存部１１は、プロジェクター１の使用環境下において、表示装置２０によってスクリーン４０に表示される画像の色特性を保存する。具体的には、表示装置２０から赤色、緑色、及び青色の最大輝度の画像光を外光が照射されているスクリーン４０にそれぞれ投影したときに色センサー３０で検出される検出結果（ＲＧＢ）から、図示しない変換部で変換されたＸＹＺ三刺激値をそれぞれ保存する。表示装置色特性保存部１１に保存される色特性（ＸＹＺ三刺激値）は以下の（１）式で表される。
【００３２】
【数１】
0005605038.tif 000002
【００３３】
外光色特性保存部１２は、スクリーン４０に照射される外光の色特性を保存する。具体的には、画像信号が黒色の画像を表示するものである場合（例えば、表示装置２０に入力されるＲＧＢ信号が（０，０，０）である場合）に、その画像信号に基づいて黒色の画像光が表示装置２０によって外光が照射されているスクリーンに投影されているときに色センサー３０で検出される検出結果を保存する。外光色特性保存部１２に保存される色特性（ＸＹＺ三刺激値）は以下の（２）式で表される。
【００３４】
【数２】
0005605038.tif 000003
【００３５】
表示色域算出部１３は、表示装置色特性保存部１１及び外光色特性保存部１２に保存された色特性を用いて、プロジェクター１の使用環境下で表示装置２０がスクリーン４０に表示可能な画像の表示色域を算出する。具体的には、以下の（３）式で示される演算式を用いてＸＹＺ三刺激値で示される表示色域を算出する。尚、以下の（３）式中の変数ｒ，ｇ，ｂは、表示装置２０に入力される画像信号（Ｒ信号、Ｇ信号、Ｂ信号）を規格化した値を基数とし、表示装置２０の階調特性を示すガンマ値（γ）を指数とする０〜１の間の値をとり得る変数である。また、以下の（３）式中におけるベクトルＸＬは、外光色特性保存部１２に保存された外光のＸＹＺ三刺激値を示したものである。この外光のＸＹＺ三刺激値は図２の黒色Ｂ１をＸＹＺ三刺激値で示したものに相当する。
【００３６】
【数３】
0005605038.tif 000004
【００３７】
補正色算出部１４は、表示色域算出部１３で算出された表示色域を基に、図２を用いて説明した補正白色Ｗ２と補正黒色Ｂ２（或いは、補正黒色Ｂ２と同視できる色）とを求める。具体的には、表示装置２０がスクリーン４０に表示可能な画像の表示色域内において、予め指定された色度（ｘＷ，ｙＷ）を有するもっと明るい色を補正白色Ｗ２とし、図２中の完全黒色Ｂ０との色差が最も小さな色を補正黒色Ｂ２とする。
【００３８】
より具体的に、補正色算出部１４は、以下に示す（４）式を満たす変数α，ｒＷ，ｇＷ，ｂＷを計算することで補正白色Ｗ２を求める。但し、以下の（４）式中の変数ｒＷ，ｇＷ，ｂＷについては、少なくとも１つの変数の値が「１」であるという拘束条件付きである。
【００３９】
【数４】
0005605038.tif 000005
【００４０】
また、補正色算出部１４は、以下の（５）式を満たし、且つ、以下の（６）式で示される均等色空間における完全黒色Ｂ０との距離を示すΔＥＫの値を最小にする変数β，δを計算することで補正黒色Ｂ２を求める。但し、以下の（５）式中の変数δは図４中に示した０〜１の間の値をとる変数であり、変数ｒＫ０，ｇＫ０，ｂＫ０については、少なくとも１つの変数の値が「０」であるという拘束条件付きである。尚、以下の（５）式中におけるベクトルＸＫ０は、図２中の符号Ｂ３が付された点における黒色をＸＹＺ三刺激値で示したものである。
【００４１】
【数５】
0005605038.tif 000006
【００４２】
【数６】
0005605038.tif 000007
【００４３】
色補正テーブル生成部１５は、プロジェクター１の使用環境下でスクリーン４０に表示される白色Ｗ２及び黒色Ｂ２を、表示色域算出部１３の算出結果を用いて補正色算出部１４で求められた補正白色Ｗ２及び補正黒色Ｂ２に補正する色補正テーブルを生成する。ここで、色補正テーブルは、画像処理装置１０に入力される画像信号であるＲＧＢ信号（Ｒｉｎ，Ｇｉｎ，Ｂｉｎ）に対し、補正されて画像処理装置１０から表示装置２０に出力される画像信号であるＲＧＢ信号（Ｒｏｕｔ，Ｇｏｕｔ，Ｂｏｕｔ）が割り当てられたテーブルである。具体的に、色補正テーブル生成部１５は、以下の（７）式を用いて色補正テーブルを生成する。尚、以下の（７）式中の変数Ｄは、画像信号の最大値を示す固定値である。
【００４４】
【数７】
0005605038.tif 000008
【００４５】
色補正テーブル保存部１６は、色補正テーブル生成部１５で生成された色補正テーブルを保存する。色補正部１７は、画像処理装置１０に入力される画像信号に応じた画像を表示装置２０で表示する際に、色補正テーブル保存部１６に保存された色補正テーブルを読み出し、読み出した色補正テーブルを用いて画像信号を補正する。
【００４６】
次に、上記構成におけるプロジェクター１の動作について説明する。図５は、本発明の一実施形態による画像処理方法を示すフローチャートである。図５に示すフローチャートの処理は、例えばユーザがプロジェクター１の電源を投入したとき、或いは、電源が投入された状態にあるプロジェクター１に対してユーザが色補正の指示を行うことにより開始される。
【００４７】
図５に示すフローチャートの処理が開始されると、まず表示装置２０の色特性を取得する処理が行われる（ステップＳ１１：第１色特性保存ステップ）。この処理では、表示装置２０から外光が照射されているスクリーン４０に対して、赤色、緑色、及び青色の最大輝度の画像光が順次照射され、各々の画像光が照射されたときの反射光が色センサー３０で順次検出される。そして、色センサー３０の検出結果が、前述した（１）式で示される色特性として表示装置色特性保存部１１に保存される。
【００４８】
次に、外光の色特性を取得する処理が行われる（ステップＳ１２：第２色特性保存ステップ）。この処理では、表示装置２０から外光が照射されているスクリーン４０に対して黒色の画像光が照射され、この画像光が照射されたときの反射光が色センサー３０で検出される。そして、色センサー３０の検出結果が、前述した（２）式で示される色特性として外光色特性保存部１２に保存される。
【００４９】
以上の色特性を取得する処理が終了すると、プロジェクター１の使用環境下で表示装置２０がスクリーン４０に表示可能な画像の表示色域が算出される（ステップＳ１３：表示色域算出ステップ）。具体的には、表示装置色特性保存部１１及び外光色特性保存部１２に保存された色特性が読み出され、表示色域算出部１３によって前述した（３）式で示される演算式を用いてＸＹＺ三刺激値で示される表示色域が算出される。
【００５０】
次いで、表示色域算出部１３で算出された表示色域を基に、補正白色Ｗ２を算出する処理（ステップＳ１４：補正色算出ステップ）と、補正黒色Ｂ２（或いは、補正黒色Ｂ２と同視できる色）を算出する処理（ステップＳ１５補正色算出ステップ）とが順に行われる。具体的に、補正白色Ｗ２を算出する処理では、補正色算出部１４が、前述した（４）式を満たす変数α，ｒＷ，ｇＷ，ｂＷを、変数ｒＷ，ｇＷ，ｂＷの少なくとも１つの値が「１」であるという拘束条件の下で計算することにより補正白色Ｗ２を求める。
【００５１】
また、補正黒色Ｂ２を算出する処理では、正色算出部１４が、前述した（５）式を満たし、且つ、前述した（６）式で示される均等色空間における完全黒色Ｂ０との距離を示すΔＥＫの値を最小にする変数β，δを計算することで補正黒色Ｂ２を求める。但し、（５）式中の変数ｒＫ０，ｇＫ０，ｂＫ０については、少なくとも１つの値が「０」であるという拘束条件付きである。
【００５２】
補正白色Ｗ２及び補正黒色Ｂ２が求められると、プロジェクター１の使用環境下でスクリーン４０に表示される白色Ｗ２及び黒色Ｂ２を、補正白色Ｗ２及び補正黒色Ｂ２に補正する色補正テーブルを生成する処理が行われる（ステップＳ１６：色補正テーブル生成ステップ）。この処理では、色補正テーブル生成部１５が、ステップＳ１５，Ｓ１６で求められた補正白色Ｗ２及び補正黒色Ｂ２と前述した（７）式とを用いて、画像処理装置１０に入力される画像信号（Ｒｉｎ，Ｇｉｎ，Ｂｉｎ）と、画像処理装置１０から表示装置２０に出力される画像信号（Ｒｏｕｔ，Ｇｏｕｔ，Ｂｏｕｔ）との関係を示す色補正テーブルを生成する。尚、生成された色補正テーブルは、色補正テーブル保存部１６に保存される。
【００５３】
次に、色補正テーブル保存部１６に保存された色補正テーブルが読み出されて色補正部１７に適用する処理が行われる（ステップＳ１７）。この処理で色補正テーブルが色補正部１７に適用されることにより、色補正部１７における色補正テーブルに基づいた補正処理が可能になる。尚、色補正テーブルが色補正部１７に適用されていない状態では、画像処理装置１０に入力される画像信号が何ら補正されずにそのまま表示装置２０に出力されるだけである。
【００５４】
以上の処理が終了すると、色補正部１７で画像信号を入力する処理が行われ（ステップＳ１８）、次いでステップＳ１７で適用された色変換テーブルを用いて入力処理が行われた画像信号を補正する処理が行われる（ステップＳ１９：色補正ステップ）。つまり、ステップＳ１８にて前述した（７）式中の画像信号（Ｒｉｎ，Ｇｉｎ，Ｂｉｎ）を入力する処理が行われ、ステップＳ１９にて画像信号（Ｒｉｎ，Ｇｉｎ，Ｂｉｎ）を色補正テーブルを用いて画像信号（Ｒｏｕｔ，Ｇｏｕｔ，Ｂｏｕｔ）に補正する処理が行われる。
【００５５】
色補正部１７で補正された画像信号（Ｒｏｕｔ，Ｇｏｕｔ，Ｂｏｕｔ）は表示装置２０に出力され、補正された画像信号に応じた画像光がスクリーン４０上に向けて投影されることによりスクリーン４０上に画像が表示される（ステップＳ２０）。スクリーン４０上に表示される画像は、色補正テーブルを用いて補正された画像信号に基づくものであるため、本来であればプロジェクター１の使用環境下で白色Ｗ２及び黒色Ｂ２として表示されていた色が、それぞれ補正白色Ｗ２及び補正黒色Ｂ２に補正されてスクリーン４０上に表示される。これにより、黒色に加えて、彩度を有しない白色及び灰色の呈色も適切に解消される。
【００５６】
画像処理装置１０に入力される画像信号がある場合（ステップＳ２１が「ＹＥＳ」の場合）には、ステップＳ１８〜Ｓ２０の処理が繰り返される。これに対し、画像処理装置１０に入力される画像信号がない場合（ステップＳ２１が「ＮＯ」の場合）には、図５に示す一連の処理が終了する。このように、本実施形態では、スクリーン４０上に表示される画像のコントラストを低下させることなく暗部の呈色を解消し得る色補正テーブルが作成され、この色補正テーブルを用いて補正された画像信号に応じた画像の表示が表示装置２０により行われる。
【００５７】
ここで、色補正テーブルは、照明環境（スクリーン４０に照射される外光）に応じたものが作成されるため、あらゆる照明環境下において、表示画像の暗部の呈色をコントラストも加味して自動的且つ適切に補正することができる。また、色補正テーブルは、表示装置２０がスクリーン４０に表示する画像の色特性、及びスクリーン４０に照射される外光の色特性から求められる表示色域を用いて生成されるため、照明環境のみならず、表示装置２０の特性も考慮した補正を行うことができ、様々な表示特性を有する表示装置に適用可能である。ここで、上記の色特性は、色センサー３０を用いて検出されるため、仮にプロジェクター１の使用環境が変化したとしても、その使用環境の変化に応じた適切な画像信号の補正を即座に行うことができる。
【００５８】
次に、表示装置２０について詳細に説明する。図６は、本発明の一実施形態による画像表示装置が備える表示装置の要部構成を示す図である。尚、図６では、表示装置２０が、いわゆる３板式の液晶プロジェクターによって構成された例について説明するが、本発明に係る画像表示装置が備える表示装置は、いわゆる３板式の液晶プロジェクターにより構成されるものに限定されるものではない。
【００５９】
図６に示す通り、表示装置２０は、光源５１、インテグレータレンズ５２，５３、偏光変換素子５４、重畳レンズ５５、Ｒ用ダイクロイックミラー５６Ｒ、Ｇ用ダイクロイックミラー５６Ｇ、反射ミラー５７、Ｒ用フィールドレンズ５８Ｒ、Ｇ用フィールドレンズ５８Ｇ、Ｒ用液晶パネル５９Ｒ、Ｇ用液晶パネル５９Ｇ、Ｂ用液晶パネル５９Ｂ、リレー光学系６０、クロスダイクロイックプリズム６１、及び投射レンズ６２を備える。Ｒ用液晶パネル５９Ｒ、Ｇ用液晶パネル５９Ｇ、及びＢ用液晶パネル５９Ｂとして用いられる液晶パネルは、透過型の液晶表示装置である。リレー光学系６０は、リレーレンズ７１〜７３及び反射ミラー７４，７５を備える。
【００６０】
光源５１は、例えば超高圧水銀ランプにより構成され、少なくともＲ成分の光、Ｇ成分の光、及びＢ成分の光を射出する。インテグレータレンズ５２は、光源５１からの光を複数の部分光に分割するための複数の小レンズを有する。インテグレータレンズ５３は、インテグレータレンズ５２の複数の小レンズに対応する複数の小レンズを有する。これらインテグレータレンズ５３は、光源５１から射出される光の照度を均一化するために設けられる。
【００６１】
偏光変換素子５４は、偏光ビームスプリッタアレイとλ／２板とを有しており、光源５１からの光を略一種類の偏光光に変換する。偏光ビームスプリッタアレイは、インテグレータレンズ５２により分割された部分光をｐ偏光とｓ偏光に分離する偏光分離膜と、偏光分離膜からの光の向きを変える反射膜とを、交互に配列した構造を有する。偏光分離膜で分離された２種類の偏光光は、λ／２板によって偏光方向が揃えられる。この偏光変換素子５４によって略一種類の偏光光に変換された光が、重畳レンズ５５に照射される。重畳レンズ５５は、インテグレータレンズ５２の複数の小レンズから射出される部分光を液晶パネル上で重畳する。
【００６２】
重畳レンズ５５からの光は、Ｒ用ダイクロイックミラー５６Ｒに入射される。Ｒ用ダイクロイックミラー５６Ｒは、Ｒ成分の光を反射してＧ成分及びＢ成分の光を透過させる。Ｒ用ダイクロイックミラー５６Ｒを透過した光はＧ用ダイクロイックミラー５６Ｇに入射し、Ｒ用ダイクロイックミラー５６Ｒで反射された光は反射ミラー５７で反射されてＲ用フィールドレンズ５８Ｒに入射する。Ｇ用ダイクロイックミラー５６Ｇは、Ｇ成分の光を反射してＢ成分の光を透過させる。Ｇ用ダイクロイックミラー５６Ｇを透過した光はリレー光学系６０に入射し、Ｇ用ダイクロイックミラー５６Ｇで反射された光はＧ用フィールドレンズ５８Ｇに入射する。
【００６３】
リレー光学系６０は、Ｇ用ダイクロイックミラー５６Ｇを透過したＢ成分の光の光路長と他のＲ成分及びＧ成分の光の光路長との違いをできるだけ小さくするために、リレーレンズ７１〜７３を用いて光路長の違いを補正する。リレーレンズ７１を透過した光は、反射ミラー７４で反射されてリレーレンズ１４４に入射する。リレーレンズ７２を透過した光は、反射ミラー７５で反射されてリレーレンズ７２に入射する。リレーレンズ７３を透過した光が、Ｂ用液晶パネル５９Ｂに照射される。
【００６４】
他方、Ｒ用フィールドレンズ５８Ｒに入射した光は、平行光に変換されてＲ用液晶パネル５９Ｒに照射される。また、Ｇ用フィールドレンズ５８Ｇに照射された光は、平行光に変換されてＧ用液晶パネル５９Ｇに入射される。Ｒ用液晶パネル５９Ｒ、Ｇ用液晶パネル５９Ｇ、及びＢ用液晶パネル５９Ｂは、それぞれ光変調素子として機能し、図１に示す画像処理装置１０から出力される画像信号（Ｒｏｕｔ，Ｇｏｕｔ，Ｂｏｕｔ）に基づいて透過率（通過率、変調率）がそれぞれ変化する。
【００６５】
このため、Ｒ用液晶パネル５９Ｒに照射された光は画像信号Ｒｏｕｔに基づいて変調され、Ｇ用液晶パネル５９Ｇに照射された光は画像信号Ｇｏｕｔに基づいて変調され、Ｂ用液晶パネル５９Ｂに照射された光は画像信号Ｂｏｕｔに基づいて変調される。そして、これらＲ用液晶パネル５９Ｒ、Ｇ用液晶パネル５９Ｇ、及びＢ用液晶パネル５９Ｂで変調された光が、クロスダイクロイックプリズム６１にそれぞれ入射される。
【００６６】
ここで、Ｒ用液晶パネル５９Ｒ、Ｇ用液晶パネル５９Ｇ、Ｂ用液晶パネル５９Ｂは、それぞれ同様の構成を有している。各液晶パネルは、電気光学物質である液晶を一対の透明なガラス基板に密閉封入したものであり、例えばポリシリコン薄膜トランジスタをスイッチング素子として、各サブ画素の画像信号に対応して各色光の通過率を変調する。本実施形態では、１画素を構成する色成分毎に光変調素子としての液晶パネルが設けられ、各液晶パネルの透過率がサブ画素に対応した画像信号により制御される。
【００６７】
クロスダイクロイックプリズム６１は、Ｒ用液晶パネル５９Ｒ、Ｇ用液晶パネル５９Ｇ、及びＢ用液晶パネル５９Ｂからの光を合成して射出する。投射レンズ６２は、クロスダイクロイックプリズム６１で合成された光（画像光）をスクリーン４０に向けて投影するレンズである。この投影レンズ６２で投影された画像光に応じた画像がスクリーン４０上に表示される。ここで、Ｒ用液晶パネル５９Ｒ、Ｇ用液晶パネル５９Ｇ、及びＢ用液晶パネル５９Ｂの透過率を変調する画像信号（Ｒｏｕｔ，Ｇｏｕｔ，Ｂｏｕｔ）は、前述した色補正テーブルを用いて画像処理装置１０で補正された画像信号である。このため、スクリーン４０上には、コントラストも加味して暗部の呈色が解消された画像が表示される。
【００６８】
以上、本発明の一実施形態による画像処理装置、画像表示装置、及び画像処理方法について説明したが、本発明は上記実施形態に制限されず、本発明の範囲内で自由に変更が可能である。例えば、以下に示す変形例が可能である
【００６９】
（１）上記実施形態では、画像表示装置としてプロジェクターを例に挙げて説明したが、本発明はこれに限定されるものではない。本発明に係る画像表示装置は、液晶表示装置やプラズマ表示装置、有機ＥＬ表示装置等の画像表示を行う画像表示装置全般に適用可能である。
【００７０】
（２）上記実施形態では、光変調素子として透過型の液晶パネルを用いたライトバルブを用いるものとして説明したが、本発明はこれに限定されるものではない。光変調素子として、例えばＤＬＰ（Digital Light Processing)（登録商標）、ＬＣＯＳ（Liquid Crystal On Silicon)等を採用してもよい。
【００７１】
（３）上記実施形態では、光変調素子として、いわゆる３板式の透過型の液晶パネルを用いたライトバルブを例に説明したが、本発明はこれに限定されるものではない。例えば、単板式の液晶パネルや２板又は４板式以上の透過型の液晶パネルを用いたライトバルブを採用してもよい。
【００７２】
（４）上記実施形態では、図１に示す画像処理装置１０が表示装置２０に入力される画像信号を補正する形態を例に挙げて説明したが、本発明はこれに限定されるものではない。例えば、本発明の画像処理方法を実現する手順が記述されたプログラムをコンピュータ読み取り可能な記録媒体に記録し、この記録媒体に記録されたプログラムをコンピュータに読み込ませてハードウェアとソフトウェアとの協働により本発明の画像処理方法を実現することによって画像信号を補正する形態であっても良い。
【００７３】
（５）上記実施形態では、プロジェクター１が画像処理装置１０、表示装置２０、及び色センサー３０を備えるものとして説明したが、本発明はこれに限定されるものではない。例えば、プロジェクター（表示装置）と画像処理装置が別体であっても良い。
【符号の説明】
【００７４】
１…画像表示装置、１０…画像処理装置、１１…表示装置色特性保存部、１２…外光色特性保存部、１３…表示色域算出部、１４…補正色算出部、１５…色補正テーブル生成部、１６…色補正テーブル保存部、１７…色補正部、２０…表示装置、３０…色センサー、４０…スクリーン、Ｂ０…完全黒色、Ｂ１…黒色、Ｂ２…補正黒色、Ｗ１…白色、Ｗ２…補正白色
【図１】
0005605038.tif 000009
【図２】
0005605038.tif 000010
【図３】
0005605038.tif 000011
【図４】
0005605038.tif 000012
【図５】
0005605038.tif 000013
【図６】
0005605038.tif 000014